(57)【要約】【課題】光効率が増加した投影表示装置を提供すること。【解決手段】本発明は、照射ビームを提供するための、光源と光学的な誘導手段とを有する照射システムと、画像情報により照射ビームを変調し、かつスクリーン上に画像を投影するための表示パネルを有する画像表示システムと、表示パネルを照射するために照射ビームの有色部分を転送するための、そのハブに回転可能に取り付けられたホイールに設けられた色フィルタ手段と、を有する、投影表示装置に関する。投影表示装置の効率を向上するために、表示パネル部分が照射ビームの有色部分によって連続的に照射されるように、色フィルタ手段は、照射ビームの有色部分によって表示パネル部分を同時に照射するための、隣接した螺旋−形状のフィルタ部分を有する。【選択図】図３
2004520631.tif 000002
【特許請求の範囲】
【請求項１】
照射ビームを提供するための、光源と光学的な誘導手段とを有する照射システムと、
表示パネルを照射するための前記照射ビームの有色部分を転送するための、ホイールに設けられた色フィルタ手段と、
前記照射ビームの前記有色部分を画像情報により変調し、かつスクリーン上に画像を投影するための、表示パネルを有する画像表示システムと、
を有する投影表示装置において、
前記表示パネルの前記部分が、前記照射ビームの前記有色部分によって連続的に照射されるように、前記色フィルタ手段が、前記表示パネルの部分を前記照射ビームの前記有色部分によって同時に照射するための隣接した螺旋−形状のフィルタ部分を有することを特徴とする投影表示装置。
【請求項２】
前記螺旋−形状の部分が、前記ホイールの第一半径から、前記第一半径よりも長い第ニ半径に延在し、前記第一半径と前記第ニ半径が、前記表示パネルの大きさに依存することを特徴とする、請求項１に記載の投影表示装置。
【請求項３】
前記螺旋−形状のフィルタ部分が、同一の形状を有することを特徴とする、請求項１に記載の投影表示装置。
【請求項４】
前記螺旋−形状のフィルタ部分が、各々、赤色光、緑色光、および青色光を転送するように構成されていることを特徴とする、請求項１， ２または３に記載の投影表示装置。
【請求項５】
前記螺旋−形状のフィルタ部分が、各々、赤色光、緑色光、青色光、および白色光を転送するように構成されていることを特徴とする、請求項１， ２または３に記載の投影表示装置。
【請求項６】
赤色、緑色、青色、および白色の前記集まりから選択された色の螺旋−形状の部分の半径方向における横断面が、前記ホイールの前記第一半径から前記第ニ半径に延在していることを特徴とする、請求項２に記載の投影表示装置。
【請求項７】
前記光源に一定の電力を供給するための矩形波電流を前記光源に提供し、かつ前記矩形波電流の極性が変化する毎に、アーク−安定化パルスを前記矩形波に加えるための制御手段が、前記投影表示装置に設けられ、前記制御手段が、前記アーク−安定化パルスの発生を、前記選択された色を有する前記螺旋−形状の部分の前記半径方向における最大の横断面の前記照射ビーム内における発生に同期化させるように構成されていることを特徴とする、請求項６に記載の投影表示装置。
【請求項８】
前記螺旋−形状のフィルタ部分が、二色性フィルタを有することを特徴とする、前記請求項の何れかに記載の投影表示装置。
【請求項９】
前記投影表示装置が、前記二色性フィルタからの光を再使用するための光再生手段を有することを特徴とする、請求項８に記載の投影表示装置。
【請求項１０】
前記色フィルタホイールが、コレステリック色フィルタを有することを特徴とする、請求項１に記載の投影表示装置。
【請求項１１】
前記投影表示装置に、透過性の画像表示パネルまたは反射性の画像表示パネルが設けられていることを特徴とする、前記請求項の何れかに記載の投影表示装置。
【発明の詳細な説明】
【０００１】
【発明の属する技術分野】
本発明は、照射ビームを提供するための光源と光学的な誘導手段とを有する照射システムと、照射ビームの有色部分を転送するための、ホイールに設けられた色フィルタ手段と、照射ビームの有色部分を画像情報により変調させ、かつ画像をスクリーン上に投影するための表示パネルを有する画像表示システムと、を有する、投影表示装置に関する。
【０００２】
【従来の技術】
投影表示装置は、リア式画像投影システムとフロント式画像投影システムの両方で使用可能である。リア式投影システムでは、投影表示装置は、テレビジョンまたはデータグラフィックス情報を表す画像を、その前方側が、視聴者の方向に向けられている拡散透明スクリーンの後方側に投影する。フロント式投影システムでは、投影表示装置は、テレビジョンまたはデータグラフィックス情報を表す画像を、この前方側が、視聴者の方向に向けられている拡散透明スクリーンの前方側に投影する。
【０００３】
このような投影表示装置は、ＵＳ ６，００５，７２２により知られている。この公知の投影システムは、照射システムと、照射システムが供給すべき照射ビームを画像情報を用いて変調させるための画像表示パネルを有する画像表示システムと、を有する。この照射システムは、照射ビームを形成するための光源と積分器システムとを有する。色ホイールは、光源と積分器システムとの間に存在する。この色ホイールは、赤色フィルタ、緑色フィルタ、および青色フィルタを含んでいる。この色フィルタは、色ホイールの角のセグメントを占有している。この色ホイールは、照射システムからの白色光をフィルタリングして、ホイールの角速度に比例した割合で、赤色から緑色へ、緑色から青色へ、および青色から赤色へ、等々と色を変化させる有色の照射ビームを生成する。この表示パネルは、表示パネル上に入射する照射ビームの色に関する画像情報に従って、有色の照射ビームを変調させる。反射性の偏光子は、色フィルタホイールと表示システムとの間に存在していても良い。反射性の偏光子は、第一方向への偏光を有する照射ビームの一部分を転送し、かつ第一方向に対して垂直な第ニ方向への第ニ偏光を有する照射ビームの一部分を反射する。さらに、光再生手段は、反射性の偏光子から反射した光を再利用するために、投影表示装置内に存在していても良い。二色性フィルタを、色フィルタホイール内で使用することもできる。しかしながら、この公知の投影装置の場合、二色性の色フィルタホイールを適用しても、投影表示装置の光効率は、向上しない。
【０００４】
【課題を解決するための手段】
本発明の目的は、光効率が増大した投影表示装置を提供することである。この目的は、本発明による、かつ、表示パネルの各部分が、照射ビームの有色部分によって連続的に照射されるように、色フィルタ手段が、照射ビームの有色部分によって表示パネルの各部分を同時に照射するための隣接した螺旋−形状のフィルタ部分を有することを特徴とする投影表示装置、によって達成することができる。この請求項に記載されている装置の場合、照射ビームの未使用の部分は、照射システムにフィードバックすることができる。取り戻した光を、次いで照射システム内で再生し、かつ照射ビームの中で再使用することができる。単一の表示パネルと、色フィルタホイールによる公知の構成とを有する投影表示装置の場合、二色性フィルタの照射ビームの反射した部分の再生が不可能である理由は、照射ビームのこの反射した部分が、再使用が不可能な不要な色を有するためである、という認識に、本発明は、基づいている。この新規な構成の場合、表示パネルが、異なる色の３つの部分を有する照射ビームで同時に照射され、同時に、色フィルタの１つの有色部分に対応する、照射ビームのフィルタリングされた部分を使用して、他の有色部分に対する照射ビーム中の光出力を高めることができるように、ホイールに設けられたフィルタ部分は、構成されている。例えば、赤色フィルタは、照射ビームの赤色光を転送し、かつ緑色光と青色光とを反射する。これを利用して、照射ビームの緑色部分と青色部分の光強度を高めることができる。
【０００５】
ある特定の有利な実施例では、螺旋−形状の部分が、ホイールの第一半径から、第一半径より長い第ニ半径に延在し、第一半径と第ニ半径が、表示パネルの大きさに依存している。
【０００６】
本発明による投影装置の更なる実施例では、色フィルタ部分は、同一の形状を有する。
【０００７】
本実施例では、各色に対する表示パネルの照射は、同等である。本発明による投影表示装置の更なる実施例では、螺旋−形状のフィルタ部分が、各々、赤色光、緑色光、および青色光を転送するように構成されている。
【０００８】
本発明による発明の更なる実施例は、このフィルタ部分が、各々、赤色光、緑色光、青色光、および白色光を転送するように構成されていることを特徴とする。白色のセグメントを加えることによって、色の飽和度は下がるが、投影された画像の輝度は高めることができる。
【０００９】
本発明による発明の更なる実施例は、赤色、緑色、青色、および白色の集まりから選択された色の螺旋−形状の部分の半径方向の横断面が、ホイールの第一半径から第ニ半径に延在していることを特徴とする。この実施例によって、表示パネルが、白色光で完全に照射された時点での、同期化が可能になる。この結果、光源の同期化パルスと色スキャンとの干渉の可視性（ｖｉｓｉｂｉｌｉｔｙ）が、減少する。ＵＨＰ光源が用いられる場合には、光源には、矩形波の電流源が供給される。このような光源の公知の欠点は、アークの安定性が、時間に対して一定でないことである。アークのこの変動を減らすために、電流パルスが、光源用の矩形波電流上に重畳される。
【００１０】
本発明の投影表示装置の更なる実施例は、光源に一定の出力を供給するための矩形波電流を光源に提供し、かつ矩形波電流の極性が変化する毎に、アーク−安定化パルスを矩形波上に課すための制御手段が、投影表示装置に設けられ、この制御手段が、アーク−安定化パルスの発生を、選択された色を有する螺旋−形状の部分の半径方向における最大の横断面の照射ビーム内における発生に同期化させるように構成されていることを特徴とする。干渉の可視性を減らすために、電流パルスは、色ホイールの回転に同期化されている。
【００１１】
本発明による投影表示装置の更なる実施例は、螺旋−形状の部分が、二色性フィルタを有することを特徴とする。二色性フィルタを使用することによって、色フィルタから反射された不必要な色の照射ビームの一部を取り戻す光再生手段を使用することが可能になる。
【００１２】
本発明による投影表示の更なる実施例は、色フィルタホイールが、コレステリック色フィルタを有することを特徴とする。コレステリック色フィルタ自体は、公開されている国際出願ＷＯ ００／３４８０８から公知である。本出願では、コレステリックフィルタの製造方法も、説明されている。この方法を、色フィルタホイールの製造に適用することもできる。
【００１３】
本発明による投影表示装置の更なる実施例は、投影表示装置に、透過性の画像表示パネル、または反射性の画像表示パネルが設けられていることを特徴とする。
【００１４】
本発明のこれらの態様、および他の態様は、以下に説明する実施例から明白であり、かつ以下に説明される実施例を参照して、解明されるであろう。
【００１５】
【発明を実施するための形態】
図１は、照射ビームを供給するための照射システム３と、照射ビームを変調させるための画像表示システム５とを有する、第一画像投影装置１の例を示す。照射システム３は、光源７と、反射器９と、コンデンサレンズ１１と、光−誘導手段１３（例えば、光学的に透明な物質の棒）と、を有する。光源は、制御装置８に電気的に結合されている。反射器９は、光源７によって照射システムとは逆方向に発せられた光の大部分を、画像表示システム５に確実に到達させる。照射システム３によって生成された照射ビームは、画像表示システム５に入射する。画像表示システム５は、反射性の表示パネル２７と、偏光を引き起こすビーム−分割（ＰＢＳ（ｐｏｌａｒｉｓｉｎｇ ｂｅａｍ−ｓｐｌｉｔｔｉｎｇ））プリズム２３と、リレーレンズ１５，１７，１９と、鏡２１と、投影レンズ３３と、を有する。第一投影装置１は、制御手段３５と、電気モータードライブ３１に結合された色フィルタホイール２９をも有する。制御手段３５は、色フィルタホイール２９を、公知の方法で電気モータードライブ３１を介して、反射性の画像表示パネル２７に送信された画像情報に同期させる。色フィルタホイール２９は、光学的な棒１３の出口窓と画像表示システム５との間に配置されている。長方形の窓３０は、色フィルタホイール２９と、反射性の表示パネル２７を同時にスキャンする照射ビームの３つの長方形の有色部分を、色ホイール２９上の螺旋−形状の色フィルタパターンとの組み合わせによって提供するための画像表示システム５との間に、配置されている。更に、投影装置１は、反射性の偏光子、例えば、Ｍｏｘｔｅｃから注文できるような、有線の格子偏光子１８を有する。反射性の表示パネル２７は、例えば、シリコン（ＬＣＯＳ）表示パネル上の反射性の液晶である。
【００１６】
動作時には、光源７と反射器９からの光は、レンズ１１と入口表面を介して、光学的な棒１３に結合し、かつ、出口表面を介して、光学的な棒の外で結合される。光学的な棒の入口表面の前面図は、図２に示されている。
【００１７】
図２は、光学的な棒１３の入口表面である。入口表面は、光学的な棒１３の長軸の周囲の環状の開口部４１を除き、反射性の層３９で覆われている。光学的な棒１３の代替の入口表面の正面図が、図３に示されている。反射性の層３９内の１つの中心開口部４１の代わりに、反射性の層は、２つの部分４３，４５、すなわち、光学的な棒１３の長軸と同軸の入口表面の中心と中心点が一致した第一環状部分４３と、入口表面の残りを覆う第ニ部分４５と、に分割されている。反射性の層の第ニ部分４５は、光源７と反射器９からの光を光学的な棒１３に結合するための入口表面の開き口を形成する覆われていない部分４７によって、第一部分４３から分離されている。光学的な棒１３の入口側のこれら両方の種類の場合、反射性の層内の開口部の面積と、反射性の層の面積との間の比率は、５：１より大きいことが好ましい。この比率は、例えば、白熱光源のアーク長に依存し、かつ、この比率を、当業者が、投影装置１の光出力を最適化することによって、実験的に見つけることができる。光学的な棒１３は、出口表面で照射ビームを形成する。照射ビームは、色ホイール２９の二色性フィルタ部分に入射する。色ホイール２９は、赤色光、緑色光、および青色光を同時に転送し、かつシアン色、マゼンタ色、および黄色を反射するための３つのフィルタ部分を有する。色ホイール２９の二色性フィルタ部分は、適切な色を有していない、照射ビームの不要な部分を、光学的な棒１３の出口表面に反射し返す。光学的な棒１３の内部では、この反射された光の大部分は、反射性の層３９によって入口表面で反射し、かつ、再使用が可能となる。第一投影装置１では、必要な特徴を有していない照射ビーム部分を、このように再生し、かつ、ＬＣＯＳパネル２７の照射のために、再使用することができる。
【００１８】
色フィルタホイール２９の二色性フィルタ部分は、必要な色を有する照射ビーム部分を、反射性の偏光子２８に転送する。反射性の偏光子２８は、第一方向に向けられた偏光を有するビーム部分しかＰＢＳプリズム２３に転送せず、かつ、第一方向に対して垂直な第二方向に向けられた偏光を有する照射ビーム部分を、色フィルタホイール２９を介して、光学的な棒１３に反射し返す。照射ビームのこの反射された部分は、光学的な棒１３の内部の多数の反射によって脱偏向（ｄｅｐｏｌａｒｉｓｅｄ）され、かつ入口表面の反射性の層３９によって反射され、かつＬＣＯＳパネル２７を照射するために、再使用が可能となる。この構成では、必要な特徴を有さない照射ビーム部分は、再生され、かつ次いで、ＬＣＯＳ表示２７を照射するために、再使用が可能となる。再生効率を向上するために、四分の一波長板３２を、色ホイール２９と、第一偏光方向に反射された照射ビーム部分の偏光を回転させるための反射性の偏光子２８との間に配置することができる。リレーレンズ１５， １７， １９は、照射ビームの必要な部分を、ＰＢＳプリズム２３の入口側へ誘導する。ＰＢＳプリズム２３のビーム−分割層２５は、第一方向の偏光を有する照射ビーム部分を、ＬＣＯＳパネル２７の方へ反射させる。ＬＣＯＳパネル２７は、この照射をＰＢＳプリズム２３へ反射し返し、かつ、照射ビームの偏光方向を、照射ビームのその部分の瞬時の色に関連する画像情報と一致するように、回転させる。偏光を引き起こすビーム−分割層２５は、反射され変調された照射ビームの第一部分を、投影レンズ３３の方へ転送し、かつ、反射された照射ビームの第二部分を、光学的な棒１３に反射し返す。画像パネル２７によって変調された照射ビーム部分は、簡潔さのために単一の投影レンズ３３によって表示されている投影レンズシステムによって、スクリーン（図示されていない）に投影される。
【００１９】
図４と図５は、色フィルタホイールに使用するためのフィルタパターンである。この色フィルタホイールでは、各々の色フィルタが、円形のフィルタホイールの螺旋−形状の部分を占有している。
【００２０】
異なる連続した螺旋−形状の色フィルタ部分の間の交線を、公式、
2004520631.tif 000003
によって説明することができる。
式中、
Ｒｘは、２つの色フィルタの間の交線と、色フィルタホイールのハブとの間の距離を表し、
Ｄ０は、ハブに最も近い照射窓の側面と、色フィルタホイールのハブとの間の距離を表し、
αは、予め定められた一定の角度を表し、
2004520631.tif 000004
は、色フィルタホイールの回転角度を表し、
かつ、
2004520631.tif 000005
は、交線の位相を表す。
【００２１】
図４は、赤色光、緑色光、および青色光を転送するための二色性の色フィルタ５０， ５１， ５２を有する、色フィルタホイール２９の第一例である。この色フィルタホイールの３つの螺旋−形状の部分は、各々の色に対して同一である。公式（１）を適用し、かつ各々の交線の位相を０°と、１２０°と、２４０°とに設定することによって、フィルタ部分５０， ５１， ５２の交線５５， ５６， ５７を見つけ出すことができる。
【００２２】
図５は、色フィルタホイール２９と、長方形の照射窓５３を有する色フィルタ手段である。動作時には、異なる線集合が、各々、照射ビームの赤色、緑色、および青色の棒−形状の部分によって同時に照らされるように、回転する螺旋−形状の二色性の色フィルタと長方形の照射窓３０による構成が、表示パネル２７の一本以上の線をスキャンする照射ビーム部分を提供する。
【００２３】
図６は、図１を参照して説明されている投影表示装置で使用可能な色フィルタホイール６０の、別の例である。色フィルタ６０には、赤色部分６１と、緑色部分６２と、青色部分６３と、白色部分６４とを有する、４つの螺旋−形状の二色性の色フィルタが設けられている。公式１によって計算される各々の交線の位相は、各々、０°、９０°、１８０°、および２７０°である。白色フィルタ部分６４を加えることによって、色の飽和度は下がるが、投影された画像の輝度は、より高くすることができる。
【００２４】
図７は、色フィルタホイール７０の第三例である。この色フィルタホイール７０は、図１を参照して説明されている投影表示装置で使用可能である。この色フィルタ７０には、赤色、緑色、および青色を各々有する、６つの螺旋−形状の二色性のフィルタが設けられている。公式１によって計算される各交線の位相は、各々、０°、６０°、１２０°、１８０°、２４０°、および３００°である。色フィルタホイールのこの構成によって、３つの螺旋−形状の部分を有するホイールの構成と比較して、ホイールの速さを増加させることなく、色をスキャンする棒−形状の部分の表示パネルにおける周波数を、二倍にすることができる。
【００２５】
図８は、色フィルタホイール８０の第四例である。この色フィルタホイール８０は、図１を参照して説明されている投影表示装置で使用可能である。色フィルタ８０には、６つの螺旋−形状の二色性の色フィルタが設けられている。３つの連続したフィルタ部分は、各々、赤色と、緑色と、青色と、を有し、かつ、３つの連続したフィルタ部分は、白色を有する単一の連続したセグメントを形成する。この実施例によって、表示パネルが白色光で完全に照射された瞬時に、ＵＨＰ光源に供給された矩形波電流に重畳されたアーク安定化パルスを同期化させることが可能になる。
【００２６】
投影表示装置１内では、光源７は、制御装置８によって制御される。この制御装置は、この光源を介して交流電流を生成し、かつ、光源７の全体に交流電圧を生成する。図１０の線図１０１， １０２， １０３は、各々、光源７全体の電圧、光源７を通る電流、および光源によって発せられた光の量を示す。これらは全て、時間の関数であり、かつ制御装置８の制御下にある。更に、線図１０４は、照射ビームをフィルタリングする色フィルタホイールの色を示している。図１０では、Ｒ＋Ｇ＋Ｂは、赤色と、緑色と、青色とを有する色ホイールの螺旋−形状の部分が、照射ビームをフィルタリングすることを示し、Ｗは、色フィルタホイールの白色部分が、白色を有する照射ビームの一部分を転送することを示している。光源７のアークの安定性を向上させるために、光源７を通る電流の極性変化に対してのみ、電流パルスＩｐｋを重ね合わせることが知られている。光源７によって発せられた光の量は、光源７内の散逸に比例する。投影表示装置では、回転する色フィルタパターンと組み合わされた電流パルスによって増加した光源の光出力が、干渉アーチファクトを発生させる場合がある。干渉の可視性を減らすために、色フィルタホイールの白色のセグメントＷが、照射ビームによって完全に照射された瞬間に、電流パルスが矩形波電流に重なり合うように、電流パルスは、色ホイールの回転に同期化される。その結果、表示パネルは、電流パルスＩｐｋの区間の間に、白色光で照射される。この瞬間、白色の螺旋−形状の部分８４，８５，８６の半径方向Ｄ２〜Ｄ１における最大の横断面が、照射ビームに存在する。
【００２７】
図９は、各々、赤色光、緑色光、および青色光を転送するための、４つの異なる螺旋−形状の部分９１， ９２， ９３， ９４を有する、色フィルタホイール９０の第五例である。
【００２８】
更に、色フィルタホイールは、コレステリック色フィルタを含むことができる。コレステリック色フィルタを使用することによって、相対的に安価な、色フィルタホイール２９の製造が可能となるため、これは有利である。コレステリックフィルタ自体は、引用したＷＯ ００／３４８０８から公知である。この出願は、パターン化された色フィルタを製造する方法を開示している。この方法は、
ａ） コレステリック状に（ｃｈｏｌｅｓｔｅｒｉｃａｌｌｙ）配列された物質のピッチを、その転化されていない状態とその転化されている状態に異なる程度で決定する多量の転化可能な化合物を有する、コレステリック状に配列された物質の層を提供し、当該化合物の転化を、輻射によって誘発することができるステップと、
ｂ） この層の放射された部分内の転化可能な化合物の少なくとも一部が転化されるように、必要な螺旋パターンによって層を放射するステップと、
ｃ） 三次元重合体（ｔｈｒｅｅ−ｄｉｍｅｎｓｉｏｎａｌ ｐｏｌｙｍｅｒ）を形成するために、コレステリック状に配列された物質を重合させ、および／または、架橋させるステップと、
を有する。この転化可能な化合物は、異性化が可能で、かつ対掌性を有する化合物を有することが好ましい。重合および／または架橋を、電子ビームの輻射または化学線の輻射を使用した放射によって誘発させることが好ましい。
【図面の簡単な説明】
【図１】反射性の表示パネルと色フィルタホイールとを有する投影表示装置の例である。
【図２】光学的に透明な棒の入口表面の第一例である。
【図３】光学的に透明な棒の入口表面の第ニ例である。
【図４】各々、赤色光、緑色光、および青色光を転送するための３つの幾何学的に同一のフィルタ部分を有する、第一構成で使用するための色フィルタホイールである。
【図５】表示パネルを照射するための窓と組み合わされた３つの幾何学的に同一のフィルタ部分を有する、色フィルタホイールの第一例である。
【図６】各々、赤色光、緑色光、青色光、および白色光を転送するための４つの幾何学的に同一のフィルタ部分を有する、色フィルタホイールの第ニ例である。
【図７】赤色光、緑色光、青色光、赤色光、緑色光、および青色光を当該順序で転送するための６つの幾何学的に同一のフィルタ部分を有する、色フィルタホイールの第三例である。
【図８】６つの幾何学的に同一のフィルタ部分を有し、その内の３つの隣接したフィルタ部分が、各々、赤色光、緑色光、および青色光を転送し、かつ３つの隣接したフィルタ部分が白色光を転送する、色フィルタホイールの第四例である。
【図９】赤色光、緑色光、および青色光を転送するための４つの異なる螺旋−形状の部分を有する、色フィルタホイールの第五例である。
【図１０】各々、色フィルタホイールの転送された光の色、光源からの光の出力、光源を通る電流、および光源の電圧の線図である。
【符号の説明】
１…画像投影装置
３…照射システム
５…画像表示システム
７…光源
８…制御装置
９…反射器
１１…コンデンサレンズ
１３…光−誘導手段
１５…リレーレンズ
１７…リレーレンズ
１９…リレーレンズ
２１…鏡
２３…ＰＢＳプリズム
２５…ビーム−分割層
２７…反射性の表示パネル
２８…反射性の偏光子
２９…色フィルタホイール
３０…長方形の窓
３１…電気モータードライブ
３２…四分の一波長板
３３…投影レンズ
３５…制御手段
３９…反射性の層
４１…中心開口部
４３…反射性の層の第一部分
４５…反射性の層の第ニ部分
４７…入口表面の覆われていない部分
５０…色フィルタ
５１…色フィルタ
５２…色フィルタ
５３…長方形の照射窓
５５…交線
５６…交線
５７…交線
６０…色フィルタホイール
６１…赤色部分
６２…緑色部分
６３…青色部分
６４…白色部分
７０…色フィルタホイール
８０…色フィルタホイール
８４…白色の螺旋−形状の部分
８５…白色の螺旋−形状の部分
８６…白色の螺旋−形状の部分
９０…色フィルタホイール
９１…螺旋−形状の部分
９２…螺旋−形状の部分
９３…螺旋−形状の部分
９４…螺旋−形状の部分
１０１…光源７全体の電圧
１０２…光源７を通る電流
１０３…光源によって発せられた光の量
１０４…色フィルタホイールの色
【図１】
2004520631.tif 000006
【図２】
2004520631.tif 000007
【図３】
2004520631.tif 000008
【図４】
2004520631.tif 000009
【図５】
2004520631.tif 000010
【図６】
2004520631.tif 000011
【図７】
2004520631.tif 000012
【図８】
2004520631.tif 000013
【図９】
2004520631.tif 000014
【図１０】
2004520631.tif 000015
【国際公開パンフレット】
2004520631.tif 000016
2004520631.tif 000017
2004520631.tif 000018
2004520631.tif 000019
2004520631.tif 000020
2004520631.tif 000021
2004520631.tif 000022
2004520631.tif 000023
2004520631.tif 000024
2004520631.tif 000025
2004520631.tif 000026
2004520631.tif 000027
2004520631.tif 000028
2004520631.tif 000029
2004520631.tif 000030
2004520631.tif 000031
2004520631.tif 000032
【国際調査報告】
2004520631.tif 000033
2004520631.tif 000034